(57)【要約】【課題】  光ビームの光量減少の問題を解決しつつ単位面積当りに記憶可能な情報量を増大させる。【解決手段】  光源側に位置可能な１枚の光源側単板光ディスク１２，３２と、光源側単板光ディスクを挟んで光源と対向する位置に存在する反光源側単板光ディスク１３〜１５，３３〜３５が同軸的に積み重ねられかつ光源側単板光ディスク１２，３２に半径方向に延在する光ビーム透過部１２ｓ,３２ｓが設けられた光ディスクの反光源側単板光ディスク１３〜１５，３３〜３５が情報の記録再生を行う対象単板光ディスクである場合に、光源側単板光ディスクの光ビーム透過部１２ｓ、３２ｓを光源からの光ビームが通過する位置に配置させた後、反光源側単板光ディスク１３〜１５，３３〜３５を回転させることによって、光源側単板光ディスク１２，３２の光ビーム透過部１２ｓ,３２ｓを通過した光ビームにより情報の記録再生を行う。【選択図】図１
2005158133.tif 000002
【特許請求の範囲】
【請求項１】
光源側に位置可能な１枚の光源側単板光ディスク（１２，３２）と、前記光源側単板光ディスク（１２，３２）を挟んで前記光源と対向する位置に存在する反光源側単板光ディスク（１３，１４，１５，３３，３４，３５）が同軸的に積み重ねられかつ前記光源側単板光ディスク（１２，３２）に半径方向に延在する光ビーム透過部（１２ｓ，３２ｓ）が設けられた光ディスクの前記反光源側単板光ディスク（１３，１４，１５，３３，３４，３５）が情報の記録再生を行う対象単板光ディスクである場合に、前記光源側単板光ディスク（１２，３２）の光ビーム透過部（１２ｓ，３２ｓ）を前記光源からの光ビームが通過する位置に配置させた後、
前記反光源側単板光ディスク（１３，１４，１５，３３，３４，３５）を回転させることによって、前記光源側単板光ディスクの光ビーム透過部（１２ｓ，３２ｓ）を通過した光ビームにより情報の記録再生を行うことを特徴とする光ディスク記録再生方法。
【請求項２】
前記反光源側単板光ディスクが前記光源側単板光ディスクを挟んで前記光源から最も離れた位置に存在する遠方単板光ディスク（１５，３５）と、前記光源側単板光ディスク（１２，３２）と前記遠方単板光ディスク（１５，３５）の間に存在しかつ半径方向に延在する光ビーム透過部（１３ｓ，１４ｓ，３４ｓ，３５ｓ）が設けられた中間単板光ディスク（１３，１４，３３，３４）から構成された前記光ディスクの前記遠方単板光ディスク（１５，３５）が、情報の記録再生を行う対象単板光ディスクである場合に、前記中間単板光ディスクの光ビーム透過部を前記光源からの光ビームが通過する位置に配置させた後、
前記遠方単板光ディスク（１５，３５）を回転させることによって、前記中間単板光ディスク（１３，１４，３３，３４）の光ビーム透過部（１３ｓ，１４ｓ，３４ｓ，３５ｓ）を通過した前記光ビームにより情報の記録再生を行うことを特徴とする請求項１に記載の光ディスク記録再生方法。
【請求項３】
前記反光源側単板光ディスクが前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた１枚の中間単板光ディスクから構成された前記光ディスクの前記中間単板光ディスクが、情報の記録再生を行う対象単板光ディスクである場合に、前記中間単板光ディスクを遠方単板光ディスクとともに回転させることによって、前記光源側単板光ディスクの光ビーム透過部を通過した光ビームにより情報の記録再生を行うことを特徴とする、請求項１に記載の光ディスク記録再生方法。
【請求項４】
前記反光源側単板光ディスクが、前記光源側単板光ディスク（１２，３２）を挟んで前記光源から最も離れた位置に存在する遠方単板光ディスク（１５，３５）と、前記光源側単板光ディスクと前記遠方単板光ディスクの間に存在しかつ半径方向に延在する光ビーム透過部（１３ｓ，１４ｓ，３４ｓ，３５ｓ）が設けられた複数の中間単板光ディスク（１３，１４，３４，３５）から構成された前記光ディスクの前記光源側単板光ディスク（１２，３２）と隣接しない中間単板光ディスク（１４，３４）が情報の記録再生を行う対象単板光ディスクである場合に、前記対象単板光ディスクよりも光源側に位置するすべての中間単板光ディスク（１３，３３）の光ビーム透過部（１３ｓ，３３ｓ）を前記光源からの光ビームが通過する位置にそれぞれ配置させた後、
前記対象単板光ディスク（１４，３４）を回転させることによって、前記対象単板光ディスクよりも光源側に位置するすべての中間単板光ディスクの光ビーム透過部（１３ｓ，３３ｓ）を通過した光ビームにより情報の記録再生を行うことを特徴とする請求項１に記載の光ディスク記録再生方法。
【請求項５】
光源側に位置可能な１枚の光源側単板光ディスク（１２，３２）と、
前記光源側単板光ディスクと同軸的に積み重ねられ前記光源側単板光ディスクを挟んで光源と対向する位置に存在する反光源側単板光ディスク（１３，１４，１５，３３，３４，３５）と、
前記光源側単板光ディスク（１２，３２）及び反光源側単板光ディスク（１３，１４，１５，３３，３４，３５）の回転中心に設けられ、外部からの動力を受けて前記光源側単板光ディスク及び反光源側単板光ディスクに選択的に動力を伝達する回転駆動軸（１６，３６）と、
前記回転駆動軸（１６，３６）に設けられ、前記回転駆動軸の回転に伴って回転させる前記光源側単板光ディスク（１２，３２）及び反光源側単板光ディスク（１３，１４，１５，３３，３４，３５）を切替可能に選択し、前記反光源側単板光ディスク（１３，１４，１５，３３，３４，３５）を情報の記録再生を行う対象単板光ディスクとして回転させるときは前記回転駆動軸（１６，３６）に係合させる一方、前記光ビーム透過部（１２ｓ，３２ｓ）が前記光源からの光ビームが通過する位置で停止した前記光源側単板光ディスク（１２，３２）を前記回転駆動軸（１６，３６）と非係合とするディスク選択機構（２０、４０）と、を備えることを特徴とする、積板光ディスク。
【請求項６】
前記反光源側単板光ディスクは、前記光源側単板光ディスク（１２，３２）を挟んで前記光源から最も離れた位置に存在する遠方単板光ディスク（１５，３５）と、前記光源側単板光ディスク（１２，３２）と前記遠方単板光ディスク（１５，３５）の間に存在しかつ半径方向に延在する光ビーム透過部（１３ｓ，１４ｓ，３３ｓ，３４ｓ）が設けられた中間単板光ディスク（１３，１４，３３，３４）から構成され、
前記ディスク選択機構（１６，３６）は、前記遠方単板光ディスク（１５，３５）を情報の記録再生を行う対象単板光ディスクとして回転させるときは前記回転駆動軸（１６,３６）に係合させる一方、前記光ビーム透過部（１３ｓ，１４ｓ，３３ｓ，３４ｓ）が前記光源からの光ビームが通過する位置で停止した前記中間単板光ディスク（１３，１４，３３，３４）を前記回転駆動軸（１６，３６）と非係合とすることを特徴とする、請求項５に記載の積板光ディスク。
【請求項７】
前記反光源側単板光ディスクが前記光源側単板光ディスク（１２，３２）を挟んで前記光源から最も離れた位置に存在する遠方単板光ディスク（１５，３５）と、前記光源側単板光ディスク（１２，３２）と前記遠方単板光ディスク（１５，３５）の間に存在しかつ半径方向に延在する光ビーム透過部が設けられた１枚の中間単板光ディスクから構成され、
前記ディスク選択機構は、前記中間単板光ディスクを情報の記録再生を行う対象単板光ディスクとして回転させるときは、当該中間単板光ディスクを前記回転駆動軸に係合させることを特徴とする、請求項５に記載の積板光ディスク。
【請求項８】
前記反光源側単板光ディスクは、前記光源側単板光ディスク（１２，３２）を挟んで前記光源から最も離れた位置に存在する遠方単板光ディスク（１５，３５）と、前記光源側単板光ディスク（１２，３２）と前記遠方単板光ディスク（１５，３５）の間に存在しかつ半径方向に延在する光ビーム透過部（１３ｓ，１４ｓ，３３ｓ，３４ｓ）が設けられた複数の中間単板光ディスク（１３，１４，３３，３４）から構成され、
前記ディスク選択機構（２０，４０）は、前記光源側単板光ディスク（１２，３２）と隣接しない中間単板光ディスク（１４，３４）を情報の記録再生を行う対象単板光ディスクとして回転させるときは、当該中間単板光ディスク（１４，３４）を前記回転駆動軸に係合させる一方、前記光ビーム透過部が前記光源からの光ビームが通過する位置で停止したすべての対象単板光ディスクよりも光源側に位置する中間単板光ディスク（１３，３３）を前記回転駆動軸（１６，３６）と非係合とすることを特徴とする、請求項５に記載の積板光ディスク。
【請求項９】
前記光源側単板光ディスク（１２，３２）及び反光源側単板光ディスク（１３，１４，１５，３３，３４，３５）は、記録再生層を１層以上備える多層単板光ディスクであることを特徴とする、請求項５から８のいずれか１つに記載の積板光ディスク。
【請求項１０】
前記ディスク選択機構（２０，４０）は、前記回転駆動軸（１６，３６）に取りつけられた突起状部材（２２、４１）と、前記突起状部材が中間単板光ディスク及び前記光源側単板光ディスク又は遠方単板光ディスクの少なくとも一方の中心近傍に設けられた貫通穴（１２ｂ，１３ｂ，１４ｂ，３３ｂ，３４ｂ，３５ｂ）を備え、
前記突状部材が前記貫通穴（１２ｂ，１３ｂ，１４ｂ，３３ｂ，３４ｂ，３５ｂ）を通過するように前記回転駆動軸（１６，３６）の延在方向に移動可能であり、かつ前記対象単板光ディスクの表面と接触して係合可能に構成されることを特徴とする、請求項５から９のいずれか１つに記載の積板光ディスク。
【請求項１１】
前記突起状部材（２２）は、前記回転駆動軸上端に嵌入されて設けられた円筒形状のキャップ部材（２１）の外周面に前記回転駆動軸に直交する面上に突出するように設けられ、その上面に積載することによって単板光ディスクと係合する板状当接部（２２）であることを特徴とする、請求項１０に記載の積板光ディスク。
【請求項１２】
前記板状当接部（２２）は、その外周縁に、前記板状当接部の前記貫通穴からの脱出方向に広がった傾斜を有する周縁（２７）と略同方向に傾斜する面を有する外周部（２８）を備えることを特徴とする、請求項１１に記載の積板光ディスク。
【請求項１３】
前記突状部材は、前記回転駆動軸上端に前記回転駆動軸の回転と共に回転可能で前記回転駆動軸（３６）に平行に垂下し、前記回転駆動軸の延在方向に移動可能に設けられ、前記貫通穴（３３ｂ，３４ｂ，３５ｂ）を通過可能な寸法を有する棒状部材（４１）であって、
前記棒状部材（４１）は、前記棒状部材の先端に磁石（４３）を有し、対象単板光ディスクの表面であって、前記回転駆動軸（３６）の回転に伴う位相の変化によって前記磁石の直下に設けられた磁性体（３２ｃ，３３ｃ，３４ｃ，３５ｃ）と吸着することによって単板光ディスクと係合することを特徴とする、請求項１０に記載の積板光ディスク。
【請求項１４】
前記ビーム透過部は、ディスクに設けられたスリット又は透明部であることを特徴とする、請求項５から１３のいずれか１つに記載の積板光ディスク。
【発明の詳細な説明】
【技術分野】
【０００１】
本発明は光ディスク記録媒体に関し、光学的に情報を記録または再生する光記録再生装置の高密度化をすることができる光ディスク記録再生方法及び積板光ディスクに関するものである。
【背景技術】
【０００２】
近年、光ディスクの再生記録装置では光ビームの短波長化および狭トラック化などの技術により、光ディスクに高密度に情報を記録するための試みが盛んである。このような記録面内の密度向上に加えて、光ディスクの構成としても、記録面数を多層に設けることによって、１枚のディスクに格納可能な情報量を増大させ、さらなる記録密度の向上を実現させている。
【０００３】
記録面数を多層設けた光ディスク装置として、複数枚の記録層をその厚み方向に積み重ねる多層光ディスクが提案されている。従来の多層光ディスクの構成を図１４に示す。多層光ディスク５０は、透明な樹脂などで構成された基材５１中に、光源からの光ビーム５４を反射する記録層５２と透明な中間層５，３が交互に積層されて構成されている。この光ディスクを用いて、記録層５２ｂの情報を記録再生する場合を例にとると、記録層５２ｂの表面に情報を記録再生することとなり、対物レンズ５５を調整することにより、光ビーム５４の焦点を記録層５２ｂの表面に合うように絞り込みを行う。
【０００４】
しかし、光ビーム５４を記録層５２ｂに焦点を合わせて記録再生する場合は、光ビーム５４は記録層５２ｂより光ビーム５４の入射側にある記録層５２ｃ及び中間層５，３を必ず通過しなければならない。したがって、記録層５２ｃの表面に記録されている記録信号による吸収散乱を避けることができない。このため、記録層５２ｂに到達する光量が減少する。この光量の減少は、信号光が記録層５２ｂ表面で反射して対物レンズ５５側に戻るときも同様な吸収散乱を受けて同様に発生する。この様に、多層光ディスクでは、記録層通過時に光量減少が発生し、また、通過記録層の層数が増すほど、この光量減少も増大するため、多層光ディスクに配設できる記録層５２の数には限界がある。記録層５２の数は、現在で２層、今後に向けて３，４層が検討されているというのが現状である。
【発明の開示】
【発明が解決しようとする課題】
【０００５】
このように、従来の多層光ディスクの構成では、記録層を透過する度に光ビームの吸収散乱が発生し、記録再生対象層に到達する光量が減衰するという問題があり、この結果、光ディスクの高密度かには限界があり、また、ひいては、情報信号の記録再生の精度が低下することにつながる場合もある。
【０００６】
したがって、本発明の目的は、光ビームの光量減少の問題を解決しつつ単位面積当りに記憶可能な情報量を増大させることができる光ディスクを提供することにある。
【課題を解決するための手段】
【０００７】
上記問題を解決するために、本発明は、光源側に位置可能な１枚の光源側単板光ディスクと、前記光源側単板光ディスクを挟んで前記光源と対向する位置に存在する反光源側単板光ディスクが同軸的に積み重ねられかつ前記光源側単板光ディスクに半径方向に延在する光ビーム透過部が設けられた光ディスクの前記反光源側単板光ディスクが情報の記録再生を行う対象単板光ディスクである場合に、前記光源側単板光ディスクの光ビーム透過部を前記光源からの光ビームが通過する位置に配置させた後、
前記反光源側単板光ディスクを回転させることによって、前記光源側単板光ディスクの光ビーム透過部を通過した光ビームにより情報の記録再生を行うことを特徴とする光ディスク記録再生方法を提供する。
【０００８】
上記方法は、複数の単板光ディスクを同軸に積層させ、光源からの光ビームを用いてそれぞれの単板光ディスクへの記録再生を行うものである。光源側に位置可能な光源側単板光ディスクは、半径方向に延在するスリットや透明部など光ビームを透過可能な光ビーム透過部を備えており、光源側単板光ディスクを挟んで光源と対向する位置に存在する反光源側単板光ディスクに記録再生する場合は、当該光ビーム透過部を光ビームが通過する位置に配置させた後、反光源側単板光ディスクを回転し、光源側単板光ディスクの光ビーム透過部を通過した光ビームにより情報の記録再生を行う。
【０００９】
また、本発明は、前記反光源側単板光ディスクが前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた中間単板光ディスクから構成された前記光ディスクの前記遠方単板光ディスクが、情報の記録再生を行う対象単板光ディスクである場合に、前記中間単板光ディスクの光ビーム透過部を前記光源からの光ビームが通過する位置に配置させた後、
前記遠方単板光ディスクを回転させることによって、前記中間単板光ディスクの光ビーム透過部を通過した前記光ビームにより情報の記録再生を行うことを特徴とする光ディスク記録再生方法を提供する。
【００１０】
上記方法において、単板光ディスクとして、１枚の光源側単板光ディスク、中間単板光ディスク、１枚の遠方単板光ディスクの３種類の光ディスクを含む光ディスクの遠方単板光ディスクについて、情報の記録再生を行う場合の光ディスク記録再生方法である。中間単板光ディスクの枚数は特に限定されない。光ディスク記録再生方法においては、中間単板光ディスク及び光源側単板光ディスクの光ビーム透過部を光ビームが通過する位置に配置させた後、遠方単板光ディスクを回転させ、光源側単板光ディスクと中間単板光ディスクの光ビーム透過部を通過した前記光ビームにより情報の記録再生を行う。
【００１１】
また、本発明は、前記反光源側単板光ディスクが前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた１枚の中間単板光ディスクから構成された前記光ディスクの前記中間単板光ディスクが、情報の記録再生を行う対象単板光ディスクである場合に、前記中間単板光ディスクを遠方単板光ディスクとともに回転させることによって、前記光源側単板光ディスクの光ビーム透過部を通過した光ビームにより情報の記録再生を行うことを特徴とする、請求項１に記載の光ディスク記録再生方法を提供する。
【００１２】
上記方法において、単板光ディスクとして、１枚の光源側単板光ディスク、１枚の中間単板光ディスク、１枚の遠方単板光ディスクの３種類の光ディスクを含む光ディスクの中間単板光ディスクについて、情報の記録再生を行う場合の光ディスク記録再生方法である。この場合は、光源側単板光ディスクの光ビーム透過部を光ビームが通過する位置に配置させた後、中間単板光ディスクを回転させ、光源側単板光ディスクの光ビーム透過部を通過した前記光ビームにより情報の記録再生を行う。このとき、遠方単板光ディスクは、中簡単板光ディスクとともに回転する。
【００１３】
また、本発明は、前記反光源側単板光ディスクが、前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた複数の中間単板光ディスクから構成された前記光ディスクの前記光源側単板光ディスクと隣接しない中間単板光ディスクが情報の記録再生を行う対象単板光ディスクである場合に、前記対象単板光ディスクよりも光源側に位置するすべての中間単板光ディスクの光ビーム透過部を前記光源からの光ビームが通過する位置にそれぞれ配置させた後、
前記対象単板光ディスクを回転させることによって、前記対象単板光ディスクよりも光源側に位置するすべての中間単板光ディスクの光ビーム透過部を通過した光ビームにより情報の記録再生を行うことを特徴とする光ディスク記録再生方法を提供する。
【００１４】
上記方法において、単板光ディスクとして、１枚の光源側単板光ディスク、複数枚の中間単板光ディスク、１枚の遠方単板光ディスクの３種類４枚以上の光ディスクを含む光ディスクの前記光源側単板光ディスクと隣接しない中間単板光ディスクについて、情報の記録再生を行う場合の光ディスク記録再生方法である。この場合は、光源側単板光ディスク及び対象単板光ディスクよりも光源側に位置するすべての中間単板光ディスクの光ビーム透過部を光ビームが通過する位置に配置させた後、対象単板光ディスクを回転させ、光源側単板光ディスク及び対象単板光ディスクよりも光源側に位置するすべての中間単板光ディスクの光ビーム透過部を通過した前記光ビームにより情報の記録再生を行う。
【００１５】
また、本発明は、光源側に位置可能な１枚の光源側単板光ディスクと、
前記光源側単板光ディスクと同軸的に積み重ねられ前記光源側単板光ディスクを挟んで光源と対向する位置に存在する反光源側単板光ディスクと、
前記光源側単板光ディスク及び反光源側単板光ディスクの回転中心に設けられ、外部からの動力を受けて前記光源側単板光ディスク及び反光源側単板光ディスクに選択的に動力を伝達する回転駆動軸と、
前記回転駆動軸に設けられ、前記回転駆動軸の回転に伴って回転させる前記光源側単板光ディスク及び反光源側単板光ディスクを切替可能に選択し、前記反光源側単板光ディスクを情報の記録再生を行う対象単板光ディスクとして回転させるときは前記回転駆動軸に係合させる一方、前記光ビーム透過部が前記光源からの光ビームが通過する位置で停止した前記光源側単板光ディスクを前記回転駆動軸と非係合とするディスク選択機構と、を備えることを特徴とする、積板光ディスクを提供する。
【００１６】
また、本発明は、前記反光源側単板光ディスクは、前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた中間単板光ディスクから構成され、
前記ディスク選択機構は、前記遠方単板光ディスクを情報の記録再生を行う対象単板光ディスクとして回転させるときは前記回転駆動軸に係合させる一方、前記光ビーム透過部が前記光源からの光ビームが通過する位置で停止した前記中間単板光ディスクも前記回転駆動軸と非係合とすることを特徴とする積板光ディスクを提供する。
【００１７】
また、本発明は、前記反光源側単板光ディスクが前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた１枚の中間単板光ディスクから構成され、
前記ディスク選択機構は、前記中間単板光ディスクを情報の記録再生を行う対象単板光ディスクとして回転させるときは前記回転駆動軸に係合させ、遠方単板光ディスクとともに回転させることを特徴とする積板光ディスクを提供する。
【００１８】
また、本発明は、前記反光源側単板光ディスクは、前記光源側単板光ディスクを挟んで前記光源から最も離れた位置に存在する遠方単板光ディスクと、前記光源側単板光ディスクと前記遠方単板光ディスクの間に存在しかつ半径方向に延在する光ビーム透過部が設けられた複数の中間単板光ディスクから構成され、
前記ディスク選択機構は、前記光源側単板光ディスクと隣接しない中間単板光ディスクを情報の記録再生を行う対象単板光ディスクとして回転させるときは、当該中間単板光ディスクを前記回転駆動軸に係合させる一方、前記光ビーム透過部が前記光源からの光ビームが通過する位置で停止したすべての対象単板光ディスクよりも光源側に位置する中間単板光ディスクを前記回転駆動軸と非係合とすることを特徴とする積板光ディスクを提供する。
【００１９】
上記各構成の積板光ディスクは、記録再生層を１層以上備える多層単板光ディスクであってもよい。
【００２０】
好ましくは、前記ディスク選択機構は、前記回転駆動軸に取りつけられた突起状部材と、前記突起状部材が中間単板光ディスク及び前記光源側単板光ディスク又は遠方単板光ディスクの少なくとも一方の中心近傍に設けられた貫通穴を備え、
前記突状部材が前記貫通穴を通過するように前記回転駆動軸の延在方向に移動可能であり、かつ前記対象単板光ディスクの表面と接触して係合可能に構成される。
【００２１】
上記構成において、好ましくは、前記突起状部材は、前記回転駆動軸上端に嵌入されて設けられた円筒形状のキャップ部材の外周面に前記回転駆動軸に直交する面上に突出するように設けられ、その上面に積載することによって単板光ディスクと係合する板状当接部である。
【００２２】
また、上記構成において、好ましくは、前記板状当接部は、その外周縁に、前記板状当接部の前記貫通穴からの脱出方向に広がった傾斜を有する周縁と略同方向に傾斜する面を有する外周部を備える。上記構成によれば、ディスク選択機構を構成する板状当接部と単板光ディスクの貫通穴の周縁とが傾斜しているため、前記板状当接部が貫通穴から脱出しやすくなり、単板光ディスクの係合をスムーズに行うことができる。
【００２３】
好ましくは、前記突状部材は、前記回転駆動軸上端に前記回転駆動軸の回転と共に回転可能で前記回転駆動軸に平行に垂下し、前記回転駆動軸の延在方向に移動可能に設けられ、前記貫通穴を通過可能な寸法を有する棒状部材であって、
前記棒状部材は、前記棒状部材の先端に磁石を有し、対象単板光ディスクの表面であって、前記回転駆動軸の回転に伴う位相の変化によって前記磁石の直下に設けられた磁性体と吸着することによって単板光ディスクと係合する。
【００２４】
また、上記各構成において、前記ビーム透過部は、ディスクに設けられたスリット又は透明部であることが好ましい。また、前記光源側単板光ディスクと反光源側単板光ディスクは、記録層を複数備えてもよい。
【発明の効果】
【００２５】
本発明によれば、記録再生するための対象単板光ディスクよりも光源側に位置する単板光ディスクの光ビーム透過部を光ビームが通過する位置に配置させた後で対象単板光ディスクの記録再生を行うため、当該光ビームは、光ビーム透過部を通過することにより途中に存在する単板光ディスクによる光の錯乱吸収を回避することができ、光量損失なく対象単板光ディスクに到達させることができる。したがって、多数積み重ねた単板光ディスクの記録再生をすることが可能となる。
【発明を実施するための最良の形態】
【００２６】
以下、本発明の各実施形態に係る積板光ディスクについて、図面を参照しながら説明する。
【００２７】
図１は本発明の第１実施形態にかかる積板光ディスクの組立分解斜視図である。図２は、図１の積板光ディスクの部分断面図である。本実施形態にかかる積板光ディスク１０は、有底円筒形状のディスクカートリッジ１１内に４枚の単板光ディスク１２〜１５が同軸的に格納されている。各単板光ディスクは、当該積板光ディスク１０の記録再生装置にセットしたときに記録再生用の光源に近い位置から順に光源側単板光ディスク１２、第１中間単板光ディスク１３、第２中間単板光ディスク１４、遠方単板光ディスク１５と呼ぶこととする。すべての単板光ディスク１２〜１５には、中心部分に単板光ディスクを厚み方向に貫通する中心穴１２ａ〜１５ａが設けられており、後述するように当該中心穴に回転シャフトが挿入されて、特定の単板光ディスクに動力が伝達される。また、単板光ディスクのうち、光源側単板光ディスク１２、第１中間単板光ディスク１３、第２中間単板光ディスク１４には、それぞれその半径方向に延在するスリット１２ｓ〜１４ｓ及び前記中心穴に対して等間隔に設けられた逃がし穴１２ｂ、１３ｂ、１４ｂが設けられている。
【００２８】
４枚の単板光ディスク１２〜１５を格納するカートリッジ１１は、蓋部１１ａと本体部１１ｂとから構成される。本体部１１ｂの中央部分には、本体部１１ｂに収納されたそれぞれの単板光ディスク１２〜１５に設けられた中心穴１２ａ〜１５ａに挿入される回転シャフト１６が挿入される貫通穴１７が設けられており、当該回転シャフト１６が外部からの動力を受けて、回転可能となるようにこれを支持する。本体部１１ｂの底壁１８には、その半径方向に延在する光ビーム透過窓１９が設けられており、各単板光ディスクの再生記録を行う場合には、光源からの光ビームが透過して単板光ディスクに到達可能になっている。
【００２９】
回転シャフト１６は、その先端にディスク保持部材２０を備えている。ディスク保持部材２０は、円筒形の本体部２１の周壁に４枚の保持部２２を備えた構成である。ディスク保持部材２０は、回転シャフト１６の先端の細径部１６に被覆するように嵌入して設けられた摩擦部材２，３を嵌入し、回転シャフト１６の軸方向に沿って移動可能に設けられている。ディスク保持部材２０と回転シャフト１６の先端には、バネ２４が設けられている。
【００３０】
ディスク保持部材２０の本体部の外形寸法は、単板光ディスク１２〜１５の中心部分に設けられた中心穴１２ａ〜１５ａの直径とほぼ同寸法に構成されている。したがって、ディスク保持部材２０の本体部２１に嵌入された単板光ディスク１２〜１５は、その面方向へのガタツキがなく保持され、単板光ディスク１２〜１５とディスク保持部材２０とは相対的にその軸方向にのみ移動可能である。
【００３１】
また、ディスク保持部材２０の周壁に等間隔に設けられた４枚の保持部２２は、ディスク保持部材２０の周壁の高さ方向の中央付近に位置し、放射方向に突出して設けられた単板光ディスクに平行な面を有する板状の部材である。それぞれの保持部２２は、図３に示すように、遠方単板光ディスク１５を除く単板光ディスクの中心穴１２ａ〜１４ａに連通して設けられた逃がし穴１２ｂ、１３ｂ、１４ｂよりも小さく構成されており、その結果、ディスク保持部材は、その保持部２２の位置が逃がし穴１２ｂ、１３ｂ、１４ｂに一致する場合は、遠方単板光ディスク１５の下面から光源側単板光ディスク１２の下面までの間を回転シャフト１６の軸方向に沿った方向に移動可能となっている。一方、保持部２２が前記単板光ディスク１２〜１５の逃がし穴に一致しない場合は、前記保持部２２のすぐ上にある単板光ディスクを積載してこれと係合し、この状態で回転シャフト１６が回転することにより、保持部２２に積載されている単板光ディスクを回転させる。
【００３２】
ディスク保持部材２０の保持部が回転シャフト１６の軸方向に沿って位置を変化させることにより、保持部２２に係合して回転シャフト１６の回転が伝達される単板光ディスクを切り替えることができる。図３は単板光ディスクとディスク保持部材２０が係合している状態を示す部分拡大平面図であり、図４は、単板光ディスクとディスク保持部材２０が係合していない状態を示す部分拡大平面図である。
【００３３】
図４に示す状態では、ディスク保持部材２０の保持部２２が各単板光ディスクの逃がし穴１２ｂ、１３ｂ、１４ｂに一致しているため、当該単板光ディスクを保持部２２の上に載置することができず、非係合状態となっている。一方、図３に示す状態では、ディスク保持部材２０の保持部２２が各単板光ディスクの逃がし穴１２ｂ、１３ｂ、１４ｂからずれて位置しているため、ディスク保持部材の保持部２２上に当該単板光ディスクが積載され、この状態で、回転シャフトが回転することにより、当該単板光ディスクを回転させることができる。
【００３４】
最も上位置に位置する遠方単板光ディスク１５の上面には、前記ディスク保持部材２０の本体部２１に嵌入して設けられるディスク固定部材２５が設けられている。ディスク固定部材２５は、ディスク保持部材の保持部２２と共に、当該保持部２２に積載された単板光ディスクを挟持し、単板光ディスクと保持部との係合を強固にする。
【００３５】
図２に示す状態では、第２中間単板光ディスク１４がディスク保持部材２０の保持部２２に積載されており、第２中間単板光ディスク１４の上に位置する遠方単板光ディスク１５と共にディスク固定部材２５により挟持される。また、同時にこの２枚の単板光ディスク１４、１５とはある間隔を隔てて下の２枚の単板光ディスク１２、１３と分離され、回転シャフト１６と一体となって回転する。
【００３６】
図５に保持部２２が対象単板光ディスクを積載する動作の流れの説明図を示す。図５に示すように、各単板光ディスクに設けられた逃がし穴１２ｂ〜１４ｂの周縁とディスク保持部材の保持部２２の縁を傾斜面とすることによって上記の動作を円滑に行うことができる。図５においては、上から２枚目の第２中間単板光ディスクを選択し、保持部２２に積載して係合する場合について説明する。
【００３７】
先ず、ディスク保持部材２０の保持部２２を第２中間単板光ディスク１４の切り欠き１４ｂに位置するように上下方向に移動させる（図５（ａ））。この状態で、回転シャフト１６をわずかに回転させると、保持部２２の周縁に設けられた傾斜面２８が単板光ディスク１４の逃がし穴１４ｂの周縁に設けられた傾斜面２７によって下側に脱出し、第２中間単板光ディスク１４の下側に入り込もうとすることによって、上に位置する２枚の単板光ディスク１４、１５をリフトさせる（図５（ｂ））。
【００３８】
さらに回転シャフト１６が回転すると、保持部２２は第２中間単板光ディスク１４の下側に完全に入り込み保持部２２の上に第２中間単板光ディスク１４が積載された状態となる。この状態で、ディスク保持部材２０が上に移動することによって、第２中間単板光ディスク１４が持ち上げられ、回転シャフト１６と係合される。
【００３９】
第２中間単板光ディスク１４と同様の動作を行うことにより、光源側単板光ディスク１２、第１中間単板光ディスク１３についてもディスク保持部材１６との係合を行うことができる。なお、最も上位に位置する遠方単板光ディスク１５については、上記操作を行うことなく、図５（ａ）に示す状態からそのままディスク保持部材１６をリフトさせることにより、両者が係合する。
【００４０】
図６は、本発明の第２実施形態にかかる積板光ディスクの組立分解斜視図である。図７は、図６の積板光ディスクの部分断面図である。図８は、図６の積板光ディスクに用いられている遠方単板光ディスク及び中間単板光ディスクの部分拡大図である。本実施形態にかかる積板光ディスク３０は、第１実施形態にかかる積板光ディスク１０と同様に有底円筒形状のディスクカートリッジ３，１内に４枚の単板光ディスク３２〜３５が同軸的に格納されているが、図６においては、ディスクカートリッジの記載を省略している。各単板光ディスクは、当該積板光ディスク３０の記録再生装置にセットしたときに記録再生用の光源に近い位置から順に光源側単板光ディスク３２、第１中間単板光ディスク３３、第２中間単板光ディスク３４、遠方単板光ディスク３５と呼ぶこととする。すべての単板光ディスク３２〜３５には、中心部分に単板光ディスクを厚み方向に貫通する中心穴３２ａ〜３５ａが設けられており、後述するように当該中心穴に回転シャフトが挿入されて、特定の単板光ディスクに動力が伝達される。また、すべての単板光ディスク３２〜３５には、それぞれその半径方向に延在するスリット３２ｓ〜３５ｓが設けられる。また、前記中心穴に対して等間隔に設けられた逃がし穴３３ｂ〜３５ｂが光源側単板光ディスクを除くすべての単板光ディスク３３，３４，３５に設けられている。また、各単板光ディスク３２〜３５の中央部分には、磁性体材料で構成された吸着プレート３２ｃ〜３５ｃが設けられている。
【００４１】
４枚の単板光ディスクを格納するカートリッジ３，１は、第１実施形態にかかる積板光ディスク１０に用いられるカートリッジ１１と同様の構成を有する。
【００４２】
回転シャフト３６は、その先端にディスク保持部材４０を固定するための固定部を備えている。固定部３７は、中心に回転シャフト３６の上端が固定された円板で構成されており、３つの貫通穴３８及びスリット３９が等間隔に設けられている。ディスク保持部材４０は、固定部３７の貫通穴３８及びスリット３９にそれぞれ挿入可能な係合腕４１及びディスク支持板４２を備える。係合腕３８は、固定部３７の貫通穴３８に嵌入されて各単板光ディスク３３〜３５を到達可能である。
【００４３】
また、ディスク支持板４２は、係合腕４１よりも長く構成されており、また図８に示すように、各単板光ディスク３２〜３５の中心穴３２ａ〜３５ａの径寸法と同様の径を有する円の円周に沿う形状となっており、中心穴３２ａ〜３５ａに嵌合されて単板光ディスクの面方向経のがたつきを防止する。
【００４４】
また、ディスク保持部材４０に等間隔に設けられた３本の係合腕４１は、その先端に磁石４，３を備えている。それぞれの係合腕４１は、図３に示すように、遠方単板光ディスク１５を除く単板光ディスクの逃がし穴３３ｂ、３４ｂ、３５ｂに嵌入可能な寸法に構成されており、その結果、ディスク保持部材は、その係合腕４１の位置が逃がし穴３３ｂ、３４ｂ、３５ｂに一致する場合は、逃がし穴３３ｂ、３４ｂ、３５ｂを貫通して下に位置するディスクに到達可能となっている。一方、係合腕４１が逃がし穴に一致しない場合は、各係合腕４１の先端に設けられた磁石４，３と単板光ディスクの中央部分に設けられた吸着プレートとが吸着して係合し、この状態で回転シャフト３６が回転することにより、磁石４，３に吸着されている単板光ディスクが回転する。
【００４５】
図９にディスク保持部材と単板光ディスクとが係合する動作の流れの説明図を示す。図９においては、図８のＩ−Ｉ断面図を示している。第２中間単板光ディスク３４をディスク保持部材と係合させる場合、図９（ａ）に示すように、先ず、係合腕４１を一番上位に位置する遠方単板光ディスクの逃がし穴３５ｂの情報へ移動させる。各単板光ディスク３３〜３５に設けられた逃がし穴３３ｂ、３４ｂ、３５ｂは、ディスク保持部材４０の係合腕４１と嵌合可能な寸法に構成されているため、図９（ｂ）において矢印７１に示すように、ディスク保持部材４０が下がることにより、係合したい第２中間単板光ディスク３４よりも上に位置する遠方単板光ディスク３５の逃がし穴３５ｂに係合腕４１の先端部分が挿入される。
【００４６】
次に図９（ｃ）の矢印７２に示すように、回転シャフト３６をわずかに回転させてディスク保持部材４０を移動させる。図９（ｃ）においては、一番上の遠方単板光ディスク３５のみが移動したことを示すため、遠方単板光ディスク３５の位置を変化させて示している。係合腕４１の先端が遠方単板光ディスク３５の逃がし穴３５ｂに挿入されているため、遠方単板光ディスク３５が矢印７３に示すように回転し、逃がし穴３５ｂの位置が移動する。なお、このとき、残りの単板光ディスク３２，３３，３４は、ディスク保持部材のディスク支持板４２によりその動きが阻止されているため移動しない。第２中間単板光ディスク３４の吸着プレートの上方に係合腕４１が位置した後、係合腕を下に移動させ、第２中間単板光ディスク３４の吸着プレートに吸着させて係合する。
【００４７】
次いで、図９（ｄ）の矢印７４に示すように、ディスク保持部材４０をわずかに上に移動させ、係合腕４１と吸着した第２中間単板光ディスク３４を持ち上げた後、回転シャフト３６を回転させることにより、第２中間単板光ディスク３４が回転する。
【００４８】
なお、第２中間単板光ディスク３４と同様のこの動作を行うことにより、光源側単板光ディスク３２、第１中間単板光ディスク３３についてもディスク保持部材４０との係合を行うことができる。なお、最も上位に位置する遠方単板光ディスク３５については、上記操作を行うことなく、ディスク保持部材４０の係合腕４１が逃がし穴３５ｂ上に位置しない状態で下に移動させ、吸着プレートに吸着させることによって係合する。
【００４９】
次に上記のようにして回転シャフト１６、３６に任意に選択可能に係合される単板光ディスク１２〜１５及び３２〜３５に情報を記録再生する動作について説明する。この動作は、高原からの光ビームを対象単板光ディスクに到達させるための動作である。図１０〜図１３は、４枚の単板光ディスクを有する積層光ディスクの各単板光ディスクについて情報を記録再生する動作の流れを説明するフロー図である。先ず、図１に示した第１実施形態にかかる積層光ディスクを例にとって説明する。
【００５０】
図１０は、図１の積層光ディスクにおいて、光源側単板光ディスクを対象単板光ディスクとする場合の動作の流れを示すフロー図である。先ず、光源側単板光ディスク１２が情報の記録再生を行う対象単板光ディスクである場合は、先ず、保持部が対象単板光ディスクである光源側単板光ディスク１２の下に位置しているかどうかが判断される（＃１１）。
【００５１】
次いで、保持部２２が光源側単板光ディスク１２の下に位置していない場合は、保持部２２を当該位置へ移動させる（＃１２）。この場合、第１及び第２の中間単板光ディスク１３，１４の逃がし穴１３ｂ，１４ｂが光源側単板光ディスク１２の逃がし穴１２ｂに対して整列している必要があるため、必要に応じて、第１及び第２の中間単板光ディスク１３，１４に係合し、逃がし穴の位置を整えることが必要となる場合がある。逃がし穴の位置を整える中間単板光ディスクは保持部２２がどの位置に存在しているかにより決定される。例えば、保持部２２が光源側単板光ディスク１２と第１中間単板光ディスク１３との間に位置している場合は、逃がし穴の位置を整える必要はない。また、保持部２２が第１中間単板光ディスク１３と第２中間単板光ディスク１４との間に位置している場合は、第１中間単板光ディスク１３の逃がし穴の位置を光源側単板光ディスク１２の逃がし穴の位置に整えることが必要となる。
【００５２】
上記の動作により保持部２２が光源側単板光ディスク１２の下に移動することにより、回転シャフトと光源側単板光ディスク１２とが係合するので、回転シャフト１６を回転させることにより（＃１３）、光ビームを光源側単板光ディスク１２に到達させることができ、情報の記録再生を行うことができる。
【００５３】
図１１は、図１の積層光ディスクにおいて、第１中間単板光ディスクを対象単板光ディスクとする場合の動作の流れを示すフロー図である。この場合は、第１中間単板光ディスク１３に光ビームを到達させるために、光源側単板光ディスクのスリットを光ビーム透過位置に配置させる必要があり、以下のような動作が必要となる。なお、ここで光ビーム透過位置は光源から照射される光が各単板光ディスクに到達する位置であり、具体的には、積層光ディスク１０のカートリッジの光ビーム透過窓１９の上方である。
【００５４】
先ず、光源側単板光ディスク１２のスリット１２ｓが光ビーム透過位置にあるかどうかが判断される（＃２１）。スリット１２ｓが光ビーム透過位置にない場合は、光源側単板光ディスク１２を回転シャフトに係合させた後、スリット１２ｓの位置を光ビーム透過位置にあわせるために位置調整を行う（＃２２）。この場合の位置調整に伴う光源側単板光ディスク１２の係合は、光源側単板光ディスク１２の下側に保持部２２を移動させることにより行われ、具体的な動作は、上述のとおりである。
【００５５】
光源側単板光ディスク１２のスリット１２ｓが光ビーム透過位置に設置されると、保持部２２を対象単板光ディスクである第１中間単板光ディスク１３の下へ移動させ、第１中間単板光ディスク１３を回転シャフト１６と係合させる（＃２，３）。次いで、回転シャフト１６を回転させることにより（＃２４）、光ビームは、光源側単板光ディスク１２のスリット１２ｓを透過して第１中間単板光ディスク１３に到達することができ、第１中間単板光ディスク１３に情報の記録再生を行うことができる。
【００５６】
図１２は、図１の積層光ディスクにおいて、第２中間単板光ディスク１４を対象単板光ディスクとする場合の動作の流れを示すフロー図である。この場合は、第２中間単板光ディスク１４に光ビームを到達させるために、光源側単板光ディスク１２及び第１中間単板光ディスク１３のスリットを光ビーム透過位置に配置させる必要があり、以下のような動作が必要となる。
【００５７】
先ず、光源側単板光ディスク１２のスリット１２ｓが光ビーム透過位置にあるかどうかが判断される（＃３，１）。スリット１２ｓが光ビーム透過位置にない場合は、光源側単板光ディスク１２を回転シャフトに係合させた後、スリット１２ｓの位置を光ビーム透過位置にあわせるために位置調整を行う（＃３２）。次いで、第１中間単板光ディスク１３のスリット１３ｓが光ビーム透過位置にあるかどうかが判断される（＃３３）。スリット１３ｓが光ビーム透過位置にない場合は、第１中間単板光ディスク１３を回転シャフトに係合させた後、スリット１３ｓの位置を光ビーム透過位置にあわせるために位置調整を行う（＃３４）。
【００５８】
光源側単板光ディスク１２及び第１中間単板光ディスク１３のスリット１２ｓ、１３ｓが光ビーム透過位置に設置されると、保持部２２を対象単板光ディスクである第２中間単板光ディスク１４の下へ移動させ、第２中間単板光ディスク１４を回転シャフト１６と係合させる（＃３５）。次いで、回転シャフト１６を回転させることにより（＃３６）、光ビームは、光源側単板光ディスク１２のスリット１２ｓ及び第１中間単板光ディスク１３のスリット１３ｓを透過して第２中間単板光ディスク１４に到達することができ、第２中間単板光ディスク１４に情報の記録再生を行うことができる。
【００５９】
図１３は、図１の積層光ディスクにおいて、遠方単板光ディスク１５を対象単板光ディスクとする場合の動作の流れを示すフロー図である。この場合は、遠方単板光ディスク１５に光ビームを到達させるために、光源側単板光ディスク１２及び第１及び第２中間単板光ディスク１３，１４のスリット１２ｓ，１３ｓ，１４ｓを光ビーム透過位置に配置させる必要があり、以下のような動作が必要となる。
【００６０】
先ず、光源側単板光ディスク１２のスリット１２ｓが光ビーム透過位置にあるかどうかが判断される（＃４１）。スリット１２ｓが光ビーム透過位置にない場合は、光源側単板光ディスク１２を回転シャフトに係合させた後、スリット１２ｓの位置を光ビーム透過位置にあわせるために位置調整を行う（＃４２）。次いで、第１中間単板光ディスク１３のスリット１３ｓが光ビーム透過位置にあるかどうかが判断される（＃４，３）。スリット１３ｓが光ビーム透過位置にない場合は、第１中間単板光ディスク１３を回転シャフトに係合させた後、スリット１３ｓの位置を光ビーム透過位置にあわせるために位置調整を行う（＃４４）。次いで、第２中間単板光ディスク１４のスリット１４ｓが光ビーム透過位置にあるかどうかが判断される（＃４５）。スリット１４ｓが光ビーム透過位置にない場合は、第２中間単板光ディスク１４を回転シャフトに係合させた後、スリット１４ｓの位置を光ビーム透過位置にあわせるために位置調整を行う（＃４６）。
【００６１】
光源側単板光ディスク１２及び第１及び第２の中間単板光ディスク１３，１４のスリット１２ｓ、１３ｓ、１４ｓが光ビーム透過位置に設置されると、保持部２２を対象単板光ディスクである遠方単板光ディスク１５の下へ移動させ、遠方単板光ディスク１５を回転シャフト１６と係合させる（＃３５）。次いで、回転シャフト１６を回転させることにより（＃３６）、光ビームは、光源側単板光ディスク１２のスリット１２ｓ及び第１及び第２中間単板光ディスク１３，１４のスリット１３ｓ、１４ｓを透過して遠方単板光ディスク１５に到達することができ、遠方単板光ディスク１５に情報の記録再生を行うことができる。
【００６２】
なお、図１１，１２，１３において各単板光ディスクのスリット１２ｓ，１３ｓ，１４ｓが光ビーム透過位置に移動させた後、当該単板光ディスクを当該位置に固定したままで回転させないようにすることが必要である。
【００６３】
なお、第２実施形態にかかる積層光ディスク３０においては、ディスク保持部材が上位のディスクから順次位置決めするように構成されているため、第１実施形態とは異なり、上位の単板光ディスクから位置あわせを行う必要がある。また、対象単板光ディスクを情報の記録再生を行うために回転するステップにおいては、対象単板光ディスクよりも下位にある単板光ディスクのスリットが光ビーム透過位置に配置されていることが必要であることは第１実施形態にかかる積層光ディスク１０と同様である。
【００６４】
以上説明したように、光ビームは対象単板光ディスクに到達する途中に存在する単板光ディスクを通るとき、このディスクのスリットを通過するため、従来の多層ディスクで問題であった記録再生層による光の散乱吸収を回避することができる。よって、光量損失なく対象単板光ディスクに光ビーム到達させることができるため、多数積み重ねたディスクを記録再生することが可能となる。
【００６５】
なお、本発明は上記実施形態に限定されるものではなく、その他種々の態様で実施可能である。
【００６６】
また、本発明は特定の記録方式、記録材料に限られるものではなく、光磁気記録方式、色素材料、相変化材料、凹凸ピット記録等すべての光ディスク記録再生に適用できるものである。
【００６７】
なお、単板光ディスクが２枚または３枚である場合であっても、対象単板光ディスクよりも下位に位置する単板光ディスクの光ビーム透過部を光ビーム透過位置に配置させることにより、当該単板光ディスクの光ビーム透過部を透過する光ビームにより情報の記録再生を行うことができる。
【図面の簡単な説明】
【００６８】
【図１】本発明の第１実施形態にかかる積板光ディスクの組立分解斜視図である。
【図２】図１の積板光ディスクの部分断面図である。
【図３】単板光ディスクとディスク保持部材が係合している状態を示す部分拡大平面図である。
【図４】単板光ディスクとディスク保持部材が係合していない状態を示す部分拡大平面図である。
【図５】図１の積板光ディスクの保持部が対象単板光ディスクを積載する動作の流れの説明図である。
【図６】本発明の第２実施形態にかかる積板光ディスクの組立分解斜視図である。
【図７】図６の積板光ディスクの部分断面図である。
【図８】図６の積板光ディスクに用いられている遠方単板光ディスク及び中間単板光ディスクの部分拡大図である。
【図９】図６の積板光ディスクの保持部がディスク保持部材と単板光ディスクとが係合する動作の流れの説明図である。
【図１０】図１の積層光ディスクにおいて、光源側単板光ディスクを対象単板光ディスクとする場合の動作の流れを示すフロー図である。
【図１１】図１の積層光ディスクにおいて、第１中間単板光ディスクを対象単板光ディスクとする場合の動作の流れを示すフロー図である。
【図１２】図１の積層光ディスクにおいて、第２中間単板光ディスク１４を対象単板光ディスクとする場合の動作の流れを示すフロー図である。
【図１３】図１の積層光ディスクにおいて、遠方単板光ディスク１５を対象単板光ディスクとする場合の動作の流れを示すフロー図である。
【図１４】従来の多層光ディスクの構成図である。
【符号の説明】
【００６９】
１０，３０  積板光ディスク
１１，３，１  ディスクカートリッジ
１２，３２  光源側単板光ディスク
１３，３３  第１中間単板光ディスク
１４，３４  第２中間単板光ディスク
１５，３５  遠方単板光ディスク
１２ｓ〜１４ｓ，３２ｓ〜３５ｓ  スリット
１２ａ〜１５ａ，３２ａ〜３５ａ  中心穴
１２ｂ〜１４ｂ，３３ｂ〜３５ｂ  逃がし穴
１６，３６  回転シャフト
１９  光ビーム透過窓
２０，４０  ディスク保持部材
２２  保持部
４１  係合腕
４，３  磁石
【図１】
2005158133.tif 000003
【図２】
2005158133.tif 000004
【図３】
2005158133.tif 000005
【図４】
2005158133.tif 000006
【図５】
2005158133.tif 000007
【図６】
2005158133.tif 000008
【図７】
2005158133.tif 000009
【図８】
2005158133.tif 000010
【図９】
2005158133.tif 000011
【図１０】
2005158133.tif 000012
【図１１】
2005158133.tif 000013
【図１２】
2005158133.tif 000014
【図１３】
2005158133.tif 000015
【図１４】
2005158133.tif 000016